(57)【特許請求の範囲】
【請求項１】
患者の腹腔内の腸間膜またはこの腸間膜に結合した臓器の位置決めを容易にするための臓器開創器であって、
長形本体と、該長形本体の一方の端部にて第１のアンカーおよび該長形本体の他方の端部にて第２のアンカーと、を有するハーネスであって、前記長形本体が凹状を形成し、前記腸間膜の周囲および前記腸間膜に対向して延びるように構成され、前記第１のアンカーおよび第２のアンカーが前記患者の腹腔内に前記臓器開創器を固定するように構成された、前記ハーネスを備え、
各アンカーがおもりを備え、
前記ハーネスが、前記おもりの重力によって、前記患者の腸間膜またはこの腸間膜に結合した臓器を腹腔の一部分に後退させるのに十分な力を前記腸間膜に対して生むように構成される、臓器開創器。
【請求項２】
各おもりが２８〜２８０グラム（１〜１０オンス）である、請求項１に記載の臓器開創器。
【請求項３】
各おもりが、流体で満たされるように構成されたバルーンである、請求項１または２に記載の臓器開創器。
【請求項４】
前記バルーン間の流体連通を成す管であって、吸気弁またはルアー・ロックを含む管を更に備える、請求項３に記載の臓器開創器。
【請求項５】
前記患者の５〜１５ｍｍのポートを通して挿入するように構成される、請求項１〜４のいずれか一項に記載の臓器開創器。
【請求項６】
前記長形本体が容器を画定し、この容器が、おもり、被覆された材料または流体を任意に収容するように構成される、請求項１〜５のいずれか一項に記載の臓器開創器。
【請求項７】
前記長形本体が、この長形本体の第１の端部と第２の端部との間に亘り幾何剛性を有する、請求項１〜６のいずれか一項に記載の臓器開創器。
【請求項８】
前記長形本体がネット、メッシュ、ストラップ、糸のうち少なくとも一つを備える、請求項１〜７のいずれか一項に記載の臓器開創器。
【請求項９】
前記長形本体がＵ字型、Ｖ字型、Ｙ字型またはループ型のうち少なくとも一つを形成するように構成される、請求項１〜８のいずれか一項に記載の臓器開創器。
【請求項１０】
前記長形本体が１５〜５０ｃｍの長さを有する、請求項１〜９のいずれか一項に記載の臓器開創器。
【発明の詳細な説明】
【技術分野】
【０００１】
（関連出願）
本願は、２０１１年３月２８日に出願された米国仮特許出願第６１／４６８２７２号（「腸開創器」）の優先権を主張するものであり、参照により、その全体が本願に援用される。
【背景技術】
【０００２】
下腹部または骨盤領域で手術を行う外科医は、いくつかの困難と対峙する。開腹術または観血手術では、患者のへそに大きな切開部を作って腸にアクセスし、手術領域外かつ上腹部内に腸を安全に移動させるか、あるいは保護しなければならない。この大きな切開部は外傷性であり、失血および回復時間を増やし、合併症のリスクを高める。
【０００３】
加えて外科医は、下腹部または骨盤領域で手術を行うのに、急角度のトレンデレンブルグ体位を用いる必要がある。この体位は、いくつかの問題を呈するとともに、健康な患者にリスクを呈し、肥満患者、老年病患者、糖尿病患者、および心血管障害または呼吸障害のある患者のリスクを高めるものである。トレンデレンブルグ体位のとき、患者は足が頭の上に来る角度に傾斜して横たわる。その角度は一般に１０〜３０度で、場合によっては４５度である。通常の姿勢範囲は、例えば、開腹術・観血手術であれば１０〜１５度、腹腔鏡手術の場合は１０〜２０度、ロボット手術の場合は１５〜４５度である。
【０００４】
係る傾斜では、重力によって腸に対して下方への力が生じるため、腸が上腹部に向かって落ち、これにより骨盤腔または下腹部３４に空間ができる。図５および６は、患者の断面を示すとともに、平らに横たわる位置（図５）から急角度のトレンデレンブルグ体位（図６）に移行した場合の影響を示している。患者は手術を受けている間、この姿勢（位置）に置かれるのが一般的で、手術時間は数時間に及び得る。
【０００５】
より急角度のトレンデレンブルグ体位（または角度）も複数の問題を呈し得るとともに、健康な患者にリスクを呈し、肥満患者、老年病患者、糖尿病患者、および心血管障害または呼吸障害のある患者のリスクを高めるものである。患者は、臓器に対して掛かる逆方向の重力によって、呼吸障害、心血管障害、顔面浮腫、眼圧、または頭部の血流停滞を経験することがあり、最悪の場合には、肺水腫や動脈瘤を患ったり、脳卒中のリスクが高まったりすることさえある。また、血流の増加や鬱血によって頭部で麻酔が濃縮することがあり、それによって麻酔のリスクが高まる。
【０００６】
急角度のトレンデレンブルグ体位は、傾斜した手術台から患者が滑り落ちないようにバンドで縛られた下肢にも負担を与える。肥満患者にとっては、腓骨神経への圧迫や損傷に加えて腿や足の鬱血のリスクも高く、下垂足または麻痺に至る可能性がある。
【０００７】
急角度のトレンデレンブルグ体位は、手術の安全性も損なう。患者は外科的処置時に頭部の滑り落ちを経験し得る（すなわち、まず手術台の頭部から滑り落ちる）。頭部の滑り落ちにより、外科医は精密かつ正確に手術を行う能力が損なわれ、内臓を誤って損傷させるリクスが高まる。
【０００８】
最後に、急角度のトレンデレンブルグ体位は、上腹部に腸を維持できるだけの勾配がない場合があり、腸が手術中に下腹部または骨盤領域に滑り落ちることがある。これは、患者の麻酔が切れ始め、患者が呼吸をし始めたときに起こることが多く、珍しい事ではない。吸入は重力に対抗し、時折、腸を上腹部から骨盤領域または下腹部に押し戻す。腸の滑り落ちは、特に外科医が鋭利な手術道具、焼灼器およびレーザーを使用している際の手術ミスや外科的損傷のリスクを高める。
【発明の概要】
【発明が解決しようとする課題】
【０００９】
従って、患者の安全性を損なうことなく、手術時における腹部および骨盤領域へのアクセス性を高めることが望ましい。
【課題を解決するための手段】
【００１０】
本発明の実施態様は、医療器具を提供することによって先行技術の問題を解消するものである。医療器具は、例えば、患者の腹腔内の腸間膜または腸間膜に結合した臓器の位置決めを容易にするための臓器開創器（レトラクター）を含み得る。この臓器開創器はハーネスを含み得る。このハーネスは、ポートまたは切開部を通過するように構成された直径を備える長形本体を有し得る。この長形本体は、Ｕ字型、Ｖ字型、Ｙ字型またはＯ字型のうち少なくとも一つの形状を成すように構成されており、これにより、前記Ｕ字型、Ｖ字型、Ｙ字型またはＯ字型の凹状の部分が前記腸間膜の周囲および前記腸間膜に対向して延びることができる。このハーネスは更に、患者の臓器を腹腔の一部分に後退させるのに十分な力を前記腸間膜に対して生むように構成される。
【００１１】
この医療器具は、少なくとも一つのアンカーおよび長形部材も含み得る。この長形部材はアンカーに結合されている。この長形部材およびアンカーは、患者の腸を腹腔の一部分に後退させるのに十分な力を腸間膜に生むように構成される。
【００１２】
本発明のこれらの特徴および利点ならびに他の特徴および利点は、以下の記載内容と添付の図面（本発明の好適な実施態様および代替の実施態様の両方を記載する）とを参照することにより、当業者にとってさらに明らかになるであろう。
【図面の簡単な説明】
【００１３】
【図１】図１は、２０度以下のトレンデレンブルグ体位で患者の腸間膜１６および腸を後退させる医療器具の断面側面図である。
【図２】図２は、図１の医療器具の前面図である。
【図３】図３は、肝臓３２に載っている図１の医療器具の別の前面図である
【図４】図４は、傾斜の無い状態で仰臥した患者の腸および他の組織の前面図である。
【図５】図５は、傾斜の無い状態で仰臥した患者の腸および他の組織の断面側面図である。
【図６】図６は、急角度（４５度）のトレンデレンブルグ体位における患者の腸および他の組織を示す断面側面図である。
【図７】図７は、長形部材１４およびアンカー１２を備える医療器具１０の一例を示す。
【図８】図８は、アンカー１２として機能する膨張性バルーン１７、および吸気弁２４を備える医療器具１０の別の例を示す。
【図９】図９は、アンカー１２として機能する膨張性バルーン１７、吸気弁２４、管２６、およびルアー・ロック（ｌｕｅｒ  ｌｏｃｋ）２８を備える医療器具１０の別の例を示す。
【図１０】図１０は、図９の医療器具の平面図である。
【図１１】図１１は、膨張性バルーン１７に位置する吸気弁２４を備える医療器具１０の一例を示す。
【図１２】図１２は、長形部材１４として機能するストラップ１５およびアンカー１２として機能する針１３を備える医療器具１０の別の例を示す。
【発明を実施するための形態】
【００１４】
本発明の実施形態について、以下さらに詳しく説明する。これらの実施形態は多くの異なる形態で実施することができる。また、本願に記載の実施形態に限定されるものと解釈されるべきではなく、本願が法律的要件を満たすように提供されていると解するべきである。本出願明細書および添付の特許請求の範囲で使用される単数形「ａ」、「ａｎ」および「ｔｈｅ」は、文脈中に別段明記されていない限り、複数形を含む。本願で使用される用語「備える（ｃｏｍｐｒｉｓｉｎｇ）」およびその活用形は「含む／備える（ｉｎｃｌｕｄｉｎｇ）」およびその活用形の同義語として使用され、非制限的な用語である。
【００１５】
図１〜３に示すとおり、本発明の医療器具１０は、一または複数のアンカー１２および長形部材１４を含む。例えば、長形部材１４の端部はアンカー１２に結合され得る。長形部材１４およびアンカー１２は、腸間膜１６に作用する力を生むように構成されている。この力は、患者の小腸１８と大腸１９（以下、両方とも「腸」と呼ぶ）の一部とを患者の上腹部２０に後退させるのに十分である。患者が軽微なトレンデレンブルグ体位にあるときには、重力による医療器具１０の自重によって腸間膜１６が上腹部２０内に引っ張られる。腸間膜１６には腸が結合されているため、本器具は結合した腸も間接的に引き上げる。器具１０のいくつかの実施形態では、軽微な角度（僅かな傾斜）が不要であり得る。
【００１６】
本願にて使用される用語「患者」は、動物および人間を含む。医療器具１０は、例えば獣医においても使用され得る。
【００１７】
発明者は、図４に示すとおり、仰臥した位置だと腸が患者の腹腔全体を満たすことを観察した。このような見方をしたとき、腸は一つの塊として移動あるいは操作することが困難である。しかしながら、図２に示すとおり、発明者は、患者の腸間膜１６が腸の塊を集める付加的なアタッチメントを提供することも観察した。腸間膜１６は通常、腸を体壁に接合する組織のひだである。腸間膜１６は、小腸を患者の後腹壁または後壁に繋留する。血管、神経およびリンパ管は、腸を供給するために腸間膜１６を通して枝分かれする。腸間膜１６は、Ｓ状結腸、虫垂、横行結腸ならびに上行結腸および下行結腸（以下「他の臓器」）も支持する。
【００１８】
図１〜３および図７を参照すると、長形部材１４は、エラストロマー（例えばゴムまたはポリマー）チューブといった小径の生体適合性材料および比較的柔軟な材料から構成され得る。長形部材１４は、腸を後退させる目的で使用される際に所定範囲の患者の大きさおよび年齢に適合するよう、約１５ｃｍ〜５０ｃｍであり得る。長形部材１４は、手術室において一揃えの大きさで供給され得る。例えば、１５ｃｍ、３０ｃｍおよび５０ｃｍが提供されることがあり、外科医が現場で選択するようになっている。
【００１９】
図８を参照すると、長形部材１４は、長形部材１４の内腔と流体連通を成すように構成される吸気弁、ポートまたは開口部２４を含み得る。例えば吸気弁２４は、図９に示すとおり、ルアー・ロック２８と組み合わせることができる。吸気弁２４は、注射器などの流体ディスペンサーの先端を受け入れるように構成される。ルアー・ロック２８は、注射器によって長形部材１４の内腔内に注入された流体をロックするように構成される。吸気弁２４は、長形部材１４の中間部または中間位置に配置され得る。図９を参照すると、吸気弁２４は、長形部材１４の内腔と流体連通を成すように構成される管２６にも接続され得る。管２６と長形部材２４との間の接続部はＹ字型を成し得る。
【００２０】
吸気弁２４は、例えば、挿入可能でありながら、閉塞したり、あるいは流体損失に対して締め付けたりすることのできるダックビル（ｄｕｃｋ−ｂｉｌｌ）またはチューヒー・ボースト（ｔｕｏｈｙ  ｂｏｒｓｔ）バルブであり得る。係る特性が丈夫あれば、図８に示すとおり、ルアー・ロック２８は必要ない。吸気弁２４は直径３ｍｍ〜８ｍｍでよく、長形部材１４に沿って予め設定した箇所に配置することができる。図８および図９の図示された実施形態では、吸気弁２４が、左右対称の医療器具１０を想定して腸間膜１６および腸へと力を左右対称に印加するために中央に位置する。あるいは図１１のように、吸気弁２４が長形部材１４またはアンカー１２の任意の部分に沿った位置にあってもよい。
【００２１】
医療器具１０内の流体は、法的要件を満たす生体適合性流体であり得る。例えば、水または生理的塩類溶液、デキストラン、マリソル（ｍａｌｉｔｈｏｌ）もしくは他の生理的塩類溶液よりも濃い流体であり得る。生体適合性流体は、漏れた際に副作用を保護するものである。この流体は、バルーンの重さ、膨張の速度、位置および分配を制御するために異なる流速を有するように変えても良い。更に、医療器具１０の後退力を変えるために重さを変更または適応させる目的で、様々な流体のバリエーションが用いられ得る。以下に記載のとおり、流体はアンカー１２のうち一または複数を膨張させることもできる。
【００２２】
長形部材１４は、流体の注射によって厚みが増し膨張することができるように比較的膨張性のある壁を有し得る。例えば、長形部材１４は、フォーリーカテーテル（Ｆｏｌｅｙ’ｓ  ｃａｔｈｅｔｅｒ）、Ｈｕｍｉ、またはＶ−ＣＡＲＥ器具で使用されるいくつかの血管形成バルーンまたはバルーンと同様に（但しこれらよりも大きく）構成され、腸間膜１６および結合した腸を後退させるために重さおよび位置を最適化する所望の形状に伸縮し得る。
【００２３】
長形部材１４の壁の膨張性は、厚み、密度または材料成分の変更によって変えることができ、流体の重さをより近位または遠位に割り当てることができる。例えば、長形部材１４の壁の厚さまたは密度は、（例えば食品医薬品局（Ｆｏｏｄ  ａｎｄ  Ｄｒｕｇ  Ａｄｍｉｎｉｓｔｒａｔｉｏｎ（ＦＤＡ））で認可された低い密度を用いて）その端部付近で減少し得る。端部の密度が低いことにより、端部の弾力性が増し、端部における流体貯留が促されて、重量が増し、退行能力が高まる。こうして長形部材１４の端部は、長形部材１４の残り部分と一体的に形成された球状またはバルーンアンカー１２となり得る。例えば、長形部材１４の遠位端は、１〜１０オンスの流体を保持できる程度に拡張することができる。子供の場合には、３０ｍｌの水で十分であり得る。より大きな大人の患者に対しては、より大きな重さが好ましい。ある角度で保持され流体を注入される長形部材１４は、馬蹄に似ている。また、Ｖ字またはＹ字にも似得る。
【００２４】
アンカー１２は、想定される位置と、医療器具１０にとって望ましい重量とに依って、平ら、折り曲げられた状態、円状、あるいは楕円形状であり得るおもりを有し得る。このおもりは固形であるか、長形部材１４の端部での予め形成された膨張性バルーン１７の形状である。予め形成されたバルーンは、例えば１〜１０オンスの流体を保持し得る。壁密度が低い領域と同様、このバルーン形状により、より多くの流体が長形部材１４の遠位端にて貯留することができる。
【００２５】
医療器具１０の外科的な実施態様は様々だが、流体膨張可能な長形部材１４およびアンカー１２は、小さな切開部を通して使用するのに非常に適している。例えば、外科医（あるいは他の医療従事者）は、骨盤または患者の腹部に切開部を形成することができる。腹腔鏡およびロボット手術において、この切開部はポートを受け入れることができる。本願で使用される用語「ポート」は、患者の身体にある少なくとも部分的に制限された開口部であって、手術によって形成されたか、自然構造的に存在するか、医療器具によって作成または促進されたもの（外科手術または内視鏡によるアクセスを可能にするために切開部を通して医療器具を挿入および配置できるようにするもの）を指す。例えば、へそにおける切開部は、腹腔鏡手術の場合で直径５〜１５ｍｍまたはそれ以上のポート、ロボット手術の場合で８〜１２ｍｍまたはそれ以上のポートを収容することができる。小開腹術の場合、外科医はポートを設けずに切開部を作り、医療器具１０を挿入してもよい。
【００２６】
切開後、外科医はルアー・ロック２８を除く長形部材１４（両端が自由端である）を摺動させて切開部穴に入れる。ルアー・ロックが患者の外部に保持されるのに対し、エラストロマー長形部材１４は患者のへその内部に置かれる。
【００２７】
挿入後、注射器が吸気弁２４に取り付けられ、この注射器を通して長形部材１４の内腔内に流体が注入される。流体が注入された後、ルアー・ロック２８は自動的に閉塞する。ロックされた医療器具１０はへそ内に落ちる。
【００２８】
腹腔鏡およびロボット手術では、外科医がその後、外科的ポートを切開部穴に配置し（外科的開口部を開いた状態に維持する）、腹腔鏡または他の器具を挿入する。あるいは、切開後に外科的ポートを直ぐに切開部穴に配置し、ポート穴を通して長形部材１４を摺動させ、ルアー・ロックを患者の外部に保持し、ポート穴を流体注入用に保持してもよい。
【００２９】
患者の体内に医療器具１０を挿入した後、外科医は、図１に示すとおり、重力によって腸が上腹部２０内の所望の位置に後退するまで、患者をトレンデレンブルグ体位に置く。外科医は、ルアー・ロック２８近くにある長形部材１４の中間部を手術道具で把持する。長形部材１４の中間部は腸間膜１６上に配置される。重力によってアンカー１２または長形部材の端部が腹部の上四分の一まで後退した後、アンカー１２は、肝臓３２の左右の葉の上、すなわち肝臓３２と前腹壁の間、あるいは肝床（ｌｉｖｅｒ  ｂｅｄ）の下（例えばモリソン窩または網嚢）のいずれかに配置される。外科医は肝臓３２と後腹壁（後壁）もしくは胃３６との間の空間にアンカーを配置してもよい。
【００３０】
その後、外科医は所望の位置で、この装置が腸間膜１６および結合した腸をそれ以上後退させないところまで、トレンデレンブルグ角度を小さくする（体の後部または頭部の傾斜をなくす）。もしこの角度を小さくし過ぎた場合には、医療器具１０が腸間膜を後退させられなくなったときに大きくすればよい。この角度は、患者の大きさ、ボディーマス指数および解剖学における格差（関連する臓器の位置および大きさ）に依る。一般に、細身の患者は角度が小さくてもよく、重い患者はより急な角度が必要となり得る。
【００３１】
アンカー１２は、重力および／または摩擦力の組み合わせによって長形部材１４の張力を保持し得る。長形部材１４に沿って延在する重力の分力は、それ自体が、腸間膜によって生じる力を相殺するのに十分であり得る。摩擦力は器官・臓器とアンカー１２との間に存在し得る。
【００３２】
医療器具１０が適所に配置され、腸間膜１６および関連する腸または他の臓器を配置および後退させた後、外科医は所望の手術を行う。
【００３３】
手術後、医療器具１０は除去され得る。外科医は、例えば手術道具を使用してルアー・ロック２８を把持し、切開部穴に向かって引いた後、この穴に通して引く。容易に除去するために、医療器具１０は、手術中の患者の体内から切開部またはポートの外側へ延びている糸を備え得る。外科医は、糸を引いて医療器具１０を切開部穴またはポートまで持ってきて除去する。
【００３４】
医療器具１０を除去するために切開部穴まで持ってくると、ルアー・ロック２８が、切開部穴の外部に突出するまで穴から更に引き出される。この時点では、長形部材１４がまだ腹腔内にある。腹腔鏡手術またはロボット手術では、外科医が切開部穴の頂部に配置されたポートを同時に除去し得る。そして必要または所望であれば、他の各種ポート、スコープおよび器具が除去される。
【００３５】
注射器が吸気弁２６内に挿入され、この注射器を用いて、長形部材１４およびアンカー１２（流体で満たされている場合）が収縮される（萎まされる）。（加えて、または代替的に、医療器具１０は、灌水装置を用いて患者の腹部内で膨張および収縮され得る）。そして、収縮された医療器具１０は切開部穴から完全に除去される。外科医は切開部穴を縫合または閉塞させる。
【００３６】
医療器具１０は他の態様も有し得る。例えば長形部材１４は、腸間膜１６および腸（または他の臓器）に対し、これらを上腹部２０内に後退させられるだけの力を及ぼせる長さである限り、他の構成を有し得る。図１２に示すとおり、長形部材１４は、ストラップ、ベルト、ハーネス、またはメッシュ１５を備えることができ、腸間膜１６の遠位端に巻き付くように構成される。長形部材１４は、遠位の腸間膜１６にその頂部を備えるＵ字型、Ｖ字型、またはＹ字型を有し得るか、そのような形状に構成され得る。あるいは二重に巻かれてＯ字型を形成するか、いくつかの中間形状を有し得る。これらの形状は腸間膜の一部の周囲に延びるように構成され、グリップ力を強化して、ルーズな腸または他の臓器を制御する。
【００３７】
長形部材１４は、ポリマーまたは織物から構成されるコードや線など、断面が詰まった材料であり得る。他の材料は、プラスチック、金属、布、織物、合成繊維、ナイロンまたはゴムを含む。腸間膜１６の一部を巻く、ストラップ、ベルト、ハーネス、メッシュ１５または他の長形部材１４は、アンカー１２と同一または異なる材料であり得る。例えば、アンカー１４は、プラスチック、金属、布、合成繊維、ナイロン、ゴム、重みを付したボール、人体に適合する被覆された流体、被覆された材料、またはＦＤＡによって人体での使用が承認されている任意の材料を含み得る。アンカー１２はまた、おもり、または重みを付したバルーンを含み得る。アンカー１２は、クリップまたは金属の塊（またはゴム−鉄マトリクスもしくは鉄ボールといった他の感磁性材料）も含むことができ、所望の後退レベルを維持するために、この金属に掛かる磁力を生む対応磁石が患者の腹部の皮膚の上に載置される。
【００３８】
アンカー１２は、前腹壁の内層（小帯や腹膜など）に取り付けられるか、あるいは内層を貫通するクリップ、フック、またはクランプなど、長形部材１４とは異なる材料であってもよい。アンカー１２は、適切なトラクションを提供するために前腹壁を貫通する針１３を備えていてもよい。図１２に示すとおり、針１３はねじ１１に取り付けることができる。その結果、針１３は、前腹壁を貫通すると切断され、ねじを残す。このねじはその後、患者の皮膚または別の表面上で調整、拘束、テープ留め、または締め付けされ、所望の後退力（リトラクション）を維持する。
【００３９】
上記のように、長形部材１４はいくらかの重量を含むか、いくらかの重量を医療器具１０に掛ける。長形部材１４は、例えば、一連の重みの付いたボール、被覆された材料、人体に適合可能な流体シース（例えば水を充填した円筒状バルーン）を含み得る。一般に好ましいのはＦＤＡ材料である。この長形部材は、医療器具１０の重さの相当部分を含む場合、重みの付いたボール、被覆された材料、または流体を保持するための一または複数の容器を画定し得る。この容器は長形部材１４の本体内に画成される。長形部材１４は、例えば、流体または他のおもり（例えば重みを付けられたボール）を保持するためにその両端部の間に延在する長形の内腔を画定するシース（覆い）であり得る。他の変形例では、医療器具１０が長形部材１４に沿って均一に重み付けされ得る。
【００４０】
医療器具１０は、上腹部の手術をはじめとする他の用途を有し得る。特に、外科医は横行結腸および／または腹膜の網に長形部材１４を配置し、下腹部または骨盤領域にアンカー１２を配置してもよく、それによって、腸間膜および結合した臓器を下腹部または骨盤領域内に後退させ、上腹部への視覚的かつ空間的アクセスを確保する。また、医療器具１０をこれとは逆の方法で適用することにより、外科医は上腹部の臓器（肝臓、胃および胆嚢等）を手術することができる。
【００４１】
医療器具１０および関連する外科的処置は、多くの利点を有し得る。開腹術・観血手術では、この装置によって外科医は小さな開口部を設ければよくなるため、外傷および失血が避けられる。そして全ての手術様式（開腹、腹腔鏡、およびロボット）で、外科医は患者を急勾配のトレンデレンブルグ体位に置くことなく、膀胱４４、直腸４２、子宮および他の骨盤内臓器へとスムーズにアクセスして骨盤腔または下腹部３４での手術ができるようになる。例えば、装置１０によって患者の傾斜を２０度未満にすることができ、場合によっては０度にすることもできる。これは、患者を急勾配のトレンデレンブルグ体位に置く必要があることの多いロボット骨盤の手術において特に有益である。
【００４２】
急勾配のトレンデレンブルグ体位を避ける利点は、患者が通気する際に呼吸系に掛かる負担を低減することを含む。また、心臓血管系への影響も少なくなる。最適または通常の血流が頭部に流れるため、顔面浮腫が減り、診断未確定の動脈瘤のリスクと、それに関連する麻酔のリスクとが下がる。そして下肢に掛かる負担も減るため、下垂足や麻痺を招く腓骨神経の圧迫や損傷のリスクが下がる。頭部が滑り落ちることがないので手術の安全性が向上する。急勾配のトレンデレンブルグ体位を避けることにより、糖尿病や高血圧、あるいは肥満を伴う患者の危険因子も減少する。
【００４３】
この装置は他の利点も提供する。この装置により、外科医は大動脈および総腸骨３８を明瞭に見えるようになり、手術中に骨盤腔３４および腹部の主要血管を誤って損傷することがなくなる。また、尿管および伴行静脈にも視覚的に明瞭にアクセスできるようになる。この視覚的なアクセスは癌組織を除去する際に特に重要である。図２および図３に示すとおり、この装置は、虫垂を検査する必要がある場合（例えば虫垂炎の場合）に腸および盲腸４０も後退させて、虫垂４１に外科的および視覚的にアクセスしやすくする。
【００４４】
以上、本システム、装置および方法の態様をいくつか説明してきた。ただし、本願開示内容の精神および範囲から逸脱しない限り、様々な変形・変更がなされ得ることが理解されよう。従って、他の態様も添付の特許請求の範囲内にある。
【符号の説明】
【００４５】
１０  医療器具
１１  糸
１２  アンカー
１３  針
１４  長形部材
１５  ストラップ
１６  腸間膜
１７  膨張性バルーン
１８  小腸
１９  大腸
２０  上腹部
２６  管
２４  吸気弁
２８  ルアー・ロック
３２  肝臓
３４  骨盤腔または下腹部
３６  胃
３８  大動脈および総腸骨
４０  盲腸
４１  虫垂
４２  直腸
４４  膀胱
【図１】
0005820052.tif 000002
【図２】
0005820052.tif 000003
【図３】
0005820052.tif 000004
【図４】
0005820052.tif 000005
【図５】
0005820052.tif 000006
【図６】
0005820052.tif 000007
【図７】
0005820052.tif 000008
【図８】
0005820052.tif 000009
【図９】
0005820052.tif 000010
【図１０】
0005820052.tif 000011
【図１１】
0005820052.tif 000012
【図１２】
0005820052.tif 000013